(57)【要約】  昇降路を昇降する乗りかごと、ロープを通じて前記乗りかごと繋がっている釣合重り装置と、前記ロープを通じて前記乗りかご及び前記釣合重り装置を駆動する巻上機と、を含むエレベータにおいて、前記釣合重り装置は、ブラケットをよって釣合重り枠の上枠に設けられ、回転平面が前記上枠の長さ方向との間に所定の角度を有し、前記ロープが巻き掛けられるプーリと、縦方向で分離可能な複数の部分カバーによって構成され、前記ブラケットに固定され、前記プーリの側面を覆う巻込防止カバーであって、水平投影が前記ブラケットの水平投影から外側に向かって突出する各部分カバーの横の端部に折曲部を有し、前記折曲部の水平投影が前記ブラケットの水平投影に近接する巻込防止カバーと、を備える、ことを特徴とするエレベータ。
2018199134.tif 000002
【特許請求の範囲】
【請求項１】
昇降路を昇降する乗りかごと、ロープを通じて前記乗りかごと繋がっている釣合重り装置と、前記ロープを通じて前記乗りかご及び前記釣合重り装置を駆動する巻上機と、を含むエレベータにおいて、
前記釣合重り装置は、
ブラケットをよって釣合重り枠の上枠に設けられ、回転平面が前記上枠の長手方向との間に所定の角度を有し、前記ロープが巻き掛けられるプーリと、
縦方向で分離可能な複数の板状部分カバーによって構成され、前記ブラケットに固定され、前記プーリの側面を覆う巻込防止カバーであって、水平投影が前記ブラケットの水平投影から外側に向かって突出する各前記部分カバーの横の端部に折曲部を有し、前記折曲部の水平投影が前記ブラケットの水平投影に近接する巻込防止カバーと、
を備える
ことを特徴とするエレベータ。
【請求項２】
請求項１に記載のエレベータにおいて、
前記巻込防止カバーは、縦方向で分離可能な二つの前記部分カバーによって構成され、当該二つの前記部分カバーの折曲部の水平投影が重なり合う
ことを特徴とするエレベータ。
【発明の詳細な説明】
【技術分野】
【０００１】
本発明は、エレベータに関する。
【背景技術】
【０００２】
現在、最も普及されているエレベータはトラクション式エレベータである。トラクション式エレベータにおいては、巻上機がロープを通じて乗りかごと釣合重り装置を駆動する。ロープの掛け方によって、エレベータの釣合重り装置にプーリが設けられることがある。一部の国家又は地域の安全基準によれば、作業員の指等の巻込みを防止するために、当該プーリをカバーなどによって覆うことが求められている。【０００３】
特許文献１が公開した釣合重り装置においては、プーリが溝形鋼から形成された釣合重り枠の上枠部２０と縦枠部１８の溝の中に設けられている（該公報図１参照）。この構造では、上枠部２０と縦枠部１８がプーリの側面と上方部を覆うことができるので、作業員の指等がプーリに巻き込まれることを防ぐことができる。当該公報の図１に示されたように、この釣合重り装置においては、プーリの回転平面が上枠部２０の長手方向と平行する。よって、プーリの厚さが上枠部２０と縦枠部１８の溝幅より小さければ、そのプーリを上枠部２０と縦枠部１８の溝の中に設置することができ、上枠部２０と縦枠部１８を安全カバーとして使うことができる。【０００４】
ここにおいて、「回転平面」とは、プーリの回転軸から離れた点が回転時に描いた軌跡（円）が載る平面をいう。回転平面の法線はプーリの回転軸に平行する。一つのプーリには無数の回転平面があるが、これらの回転平面が互いに平行するので、プーリの回転平面の方向を検討するとき、そのうち何れか一つの回転平面について検討すればよい。
【先行技術文献】
【特許文献】
【０００５】
【特許文献１】特開２０１３−４９５３０号公報
【発明の概要】
【発明が解決しようとする課題】
【０００６】
エレベータの昇降路が狭い場合、例えば機械室レスエレベータの昇降路において、狭い空間内で乗りかご、釣合重り装置、巻上機など各種装置を設置しなければならない。この場合、ロープの走行方向と角度などについて巧みに且つ合理的に設計し、ロープが通るプーリを使ってロープの走行方向と角度を調整する必要がある。したがって、場合によってプーリの回転平面が釣合重り枠の上枠部の長手方向と所定の角度を形成するようにプーリを設置しなければならない。このような場合には、上枠部の幅方向にプーリが占める空間が大きくなるので、プーリを上枠部と縦枠部の溝の中に設置することができなくなる。プーリのために専用の箱型の安全カバーを設ける考えもあるが、箱型になると安全カバーの水平投影が釣合重り装置の他の部分の水平投影から大きくはみだすことになる。そうなると、釣合重り装置が上下移動するとき、安全カバーと昇降路内の他の装置など（例えば、乗りかご）との間に必要隙間寸法を確保することができず、衝突しやすくなる。【０００７】
そこで、本発明の目的は、作業員の指等がプーリに巻き込まれることを防止できると同時に、釣合重り装置と他の装置との間に必要隙間寸法を確保できるエレベータを提供することにある。
【課題を解決するための手段】
【０００８】
前記目的を達成するために、本発明にかかるエレベータは、昇降路を昇降する乗りかごと、ロープを通じて前記乗りかごと繋がっている釣合重り装置と、前記ロープを通じて前記乗りかご及び前記釣合重り装置を駆動する巻上機と、を含むエレベータにおいて、前記釣合重り装置は、ブラケットをよって釣合重り枠の上枠に設けられ、回転平面が前記上枠の長手方向との間に所定の角度を有し、前記ロープが巻き掛けられるプーリと、縦方向で分離可能な複数の板状部分カバーによって構成され、前記ブラケットに固定され、前記プーリの側面を覆う巻込防止カバーであって、水平投影が前記ブラケットの水平投影から外側に向かって突出する各前記部分カバーの横の端部に折曲部を有し、前記折曲部の水平投影が前記ブラケットの水平投影に近接する巻込防止カバーと、を備える。
【発明の効果】
【０００９】
本発明にかかるエレベータが備える巻込防止カバーは、プーリの側面を覆い、作業員の指等がプーリに巻き込まれることを防止できる。当該巻込防止カバーの横の端部に、ブラケットに近接する折曲部があるので、巻込防止カバーがブラケットから外側（特に乗りかごの方向）に突出する張出量を低減して、巻込防止カバーと乗りかご又は他の機器との間に必要隙間寸法を確保することができ、衝突を防ぐことができる。【００１０】
上記した以外の課題、構成及び効果は、以下の実施形態の説明により明らかにされる。
【図面の簡単な説明】
【００１１】
【図１】本発明エレベータの一実施形態を概略的に示す模式図である。
【図２】本発明エレベータの釣合重り装置の構造を概略的に示す模式図である。
【図３】図２に示したプーリ近傍構造の拡大模式図である。
【図４】図２に示した釣合重り装置の平面図である。
【図５】図２に示した釣合重り装置から巻込防止カバーを外した状態を概略的に示す。
【発明を実施するための形態】
【００１２】
以下、図面に基づき発明の実施の形態を通じて本発明を説明する。
【００１３】
図１は本発明エレベータの一実施形態を概略的に示す模式図である。図１に示すように、エレベータ１００は、昇降路１０２、乗りかご１０４、釣合重り装置１０６及び巻上機１１０を含む。エレベータ１００は機械室レスエレベータであり、巻上機１１０が昇降路の中に設置されている。乗りかご１０４と釣合重り装置１０６は、ロープ１０８を通じて繋がっている。ロープ１０８は巻上機１１０の綱車に掛けられ、巻上機１１０はロープ１０８を通じて乗りかご１０４及び釣合重り装置１０６を駆動して、昇降路１０２内を昇降させる。
【００１４】
図２は本発明エレベータの釣合重り装置の構造を概略的に示す模式図である。図２は、左の正面図と右の右側面図から構成される。図示の通り、釣合重り装置１０６は、釣合重り枠２０２、重り２０４、プーリ２０６及び巻込防止カバー２２０を含む。釣合重り枠２０２は、主に二つの縦枠２０２ａ、上枠２０２ｂ及び下枠２０２ｃによって構成される。釣合重り枠２０２の内側には、複数の重り２０４が載置されている。プーリ２０６は、複数のブラケットをよって上枠２０２ｂに設けられ、それにロープ１０８が巻き掛けられている。プーリ２０６の側面には、巻込防止カバー２２０が設けられている。
【００１５】
図３は図２に示したプーリ近傍構造の拡大模式図である。図４は図２に示した釣合重り装置の平面図である。釣合重り装置１０６とエレベータの他の部分との相対位置関係を説明するために、図４において乗りかご１０４及び最も近い昇降路壁１０２ａも示している。なお、図４にはプーリ２０６の回転平面４００も２点鎖線で表示している。また、巻込防止カバー２２０の形状及びプーリ２０６を固定するブラケットの構造を分かりやすくするために、図５は図２に示した釣合重り装置から巻込防止カバーを外した状態を概略的に示す。
【００１６】
図４に示すように、本実施形態において、プーリ２０６の回転平面４００が上枠２０２ｂの長手方向との間に所定の角度θ（０°＜θ＜９０°）を有する。角度θは、プーリ２０６によって設定すべきロープ１０８の走行方向と角度によって決められる。
【００１７】
図２から図５に示すように、プーリ２０６は複数のブラケットによって上枠２０２ｂに取付けられている。当該ブラケットは、第１ブラケット２１２、第２ブラケット２１４、第３ブラケット２１５、第３ブラケット２１６及び第４ブラケット２１８を含む。第１ブラケット２１２は、ベース板であり、アングル及びボルト等によって上枠２０２ｂに固定されている。第２ブラケット２１４は、溝形鋼であり、その開口部が上向きにして第１ブラケット２１２に固定されている。板状の第３ブラケット２１５及び第３ブラケット２１６は、それぞれ第２ブラケット２１４の二つ溝壁に縦に固定されている。プーリ２０６は、第３ブラケット２１５と第３ブラケット２１６との間に設けられ、第３ブラケット２１５と第３ブラケット２１６によってその回転軸がサポートされている。第４ブラケット２１８は、溝形鋼であり、プーリ２０６を跨って、上方から第３ブラケット２１５と第３ブラケット２１６を連結する。第４ブラケット２１８は、二つの第３ブラケットに対するサポートを強化するだけでなく、作業員の指等の巻込みを防止することもでき、カバーとなってプーリ２０６に落ちる埃を遮ることもできる。
【００１８】
図３及び図４に示すように、プーリ２０６の左右の縁部付近には、それぞれロープ外れ防止板２３２とロープ外れ防止板２３４が設けられている。プーリ２０６の左右の縁部は、それぞれロープ１０８がプーリ２０６の綱溝に進入する部位と綱溝を離れる部位である。これらの部位において、ロープ１０８がプーリ２０６の綱溝から外れしやすい。ロープ外れ防止板２３２とロープ外れ防止板２３４を設けることによって、ロープ１０８がプーリ２０６の綱溝から外れることを防ぐことができる。また、プーリ２０６に落ちる埃を遮るために、第４ブラケット２１８の左右両端部に、それぞれ防塵カバー２３６と防塵カバー２３８が設けられている。
【００１９】
本明細書において、構成要素の方位、位置等を表すときに使う「上」、「下」、「左」、「右」などの表現は、基本的に図面における構成要素間の相対的な方位、位置等を表すものであり、特に断らない限り絶対的な位置を示すことを意図したものではない。
【００２０】
図２と図３に示すように、本実施形態エレベータの釣合重り装置１０６の最大の特徴は、巻込防止カバー２２０が設けられていることである。巻込防止カバー２２０は、縦方向で分離可能な二つの部分カバー、すなわち上部カバー２２２と下部カバー２２４によって構成される。上部カバー２２２及び下部カバー２２４は板状である。上部カバー２２２及び下部カバー２２４はボルトによって第３ブラケット２１５に固定されており、プーリ２０６の一側面（乗りかご１０４に面する側面）を覆う。それによって、作業員の指等がプーリ２０６とロープ１０８の間に巻き込まれることを防ぐ。板状の巻込防止カバー２２０は、構造が簡単で、コストが低い。
【００２１】
本実施形態において、プーリ２０６のもう一方の側面が昇降路壁１０２ａに面しており、なお釣合重り装置１０６と昇降路壁１０２ａとの間隔が小さくて、作業員が釣合重り装置１０６と昇降路壁１０２ａの間に入って作業することはないので、プーリ２０６の昇降路壁１０２ａに面する側には巻込防止カバーを設けていない。
【００２２】
周知のとおり、エレベータの乗りかごと釣合重り装置が昇降路において上下に移動する。上下移動時に両者が衝突しないようにするためには、両者の水平投影の間には一定以上の間隔をあける必要がある。
【００２３】
図３と図４に示すように、水平投影が前述したブラケットの水平投影から外側に向かって突出する上部カバー２２２の横の端部に折曲部２２２ａを有し、折曲部２２２ａの水平投影が前述したブラケットの水平投影に近接する。
【００２４】
次に、図３と図４に基づいてこの部分の内容を具体的に説明する。図４は、平面図なので、エレベータ１００の各部分の水平投影を表す。図４に示すように、前述したブラケット（第１ブラケット２１２、第２ブラケット２１４、第３ブラケット２１５、第３ブラケット２１６及び第４ブラケット２１８を含む）の水平投影の最大の輪郭は、主に第１ブラケット２１２の水平投影、及び第１ブラケット２１２の水平投影の範囲からはみ出した第４ブラケット２１８の一つの角（図４において下方に向く角）の水平投影から構成される。
【００２５】
上部カバー２２２は板材によって構成される。図３における上部カバー２２２の右側の横の端部の水平投影（図４参照）は、前述したブラケットの水平投影の最大輪郭からはみ出しており、すなわち「前述したブラケットの水平投影から外側に向かって突出する」。もし上部カバー２２２が平の板であれば、右側の横の端部が図４の破線で示した方向に延びることになる。そうなると、釣合重り装置１０６（上部カバー２２２）と乗りかご１０４との間隔が狭くなり、両者が衝突する危険性が高くなる。この問題を解決するために、本実施形態において、上部カバー２２２の右側の横の端部に折曲部２２２ａが形成され、当該折曲部２２２ａの水平投影が前述したブラケットの水平投影に近接する。
【００２６】
図４の矢印が示すように、折曲部２２２ａの形成によって、上部カバー２２２の右側の横の端部は破線で示した位置から実線で示した位置に移動した。折曲部２２２ａの水平投影も前述したブラケットの水平投影の最大輪郭から少しはみ出しているが、乗りかご１０４の方向に突出する上部カバー２２２の張出量が大幅に減少した。それによって、釣合重り装置１０６（上部カバー２２２）と乗りかご１０４との間に必要隙間寸法を確保することができ、衝突を防ぐことができる。
【００２７】
図３に示すように、水平投影が前述したブラケットの水平投影から外側に向かって突出する下部カバー２２４の右側の横の端部に折曲部２２４ａを有し、折曲部２２４ａの水平投影が前述したブラケットの水平投影に近接する。上部カバー２２２の折曲部２２２ａの水平投影と下部カバー２２４の折曲部２２４ａの水平投影が重なり合う。それは、下部カバー２２４の折曲部２２４ａの水平投影が、実質的に上部カバー２２２の折曲部２２２ａの水平投影と同じ形状の変化を有することをいう。例えば、実質的に同じ折曲角度又は同じカーブを有することをいう。下部カバー２２４の折曲部２２４ａは、上部カバー２２２の折曲部２２２ａと同じ効果を有する。すなわち、下部カバー２２４が乗りかご１０４の方向に突出する張出量を大幅に減らし、釣合重り装置１０６（下部カバー２２４）と乗りかご１０４との間に必要隙間寸法を確保することができ、衝突を防ぐことができる。
【００２８】
よって、昇降路が狭く、釣合重り装置のプーリの回転平面が上枠の長手方向との間に所定の角度θを有しても、釣合重り装置と乗りかごとの間に必要隙間寸法を確保しながら巻込防止カバーを設置して、作業員の指等がプーリに巻き込まれることを防ぐことができる。
【００２９】
なお、巻込防止カバー２２０が縦方向で上部カバー２２２と下部カバー２２４に分かれているので、巻込防止カバー２２０を取付けるときに、巻込防止カバー２２０とプーリ２０６との間隔の調整が容易にできる。具体的には、まず下部カバー２２４を取付けることができる。このとき、下部カバー２２４の上方から、下部カバー２２４の折曲部２２４ａとプーリ２０６との間隔を直接見ることができるので、折曲部２２４ａとプーリ２０６との間隔を容易に適切な間隔範囲に調整することができる。上部カバー２２２を取付ける場合には、上部カバー２２２の折曲部２２２ａが下部カバー２２４の折曲部２２４ａと実質的に同じ折曲角度又は同じカーブを有するので、上部カバー２２２の折曲部２２２ａの外面を下部カバー２２４の折曲部２２４ａの外面とほぼ同じ面になるように調整すれば、折曲部２２２ａの内面も折曲部２２４ａの内面に近づくことになる。それによって、上部カバー２２２の折曲部２２２ａとプーリ２０６との間隔も容易に適切な間隔範囲にすることができる。また、エレベータ点検時に、上部カバー２２２を取り外すだけで、下部カバー２２４の折曲部２２４ａとプーリ２０６との間隔を確認することができるので、その隙間寸法の点検が容易にできる。
【００３０】
巻込防止カバー２２０が縦方向で上部カバー２２２と下部カバー２２４に分かれているので、ロープ外れ防止板２３２とプーリ２０６との間隔を点検する場合、及びロープ外れ防止板２３４とプーリ２０６との間隔を点検する場合、上部カバー２２２を取り外すだけで、確認点検ができ、点検効率を高めることができる。なお、ロープ１０８を交換するとき、下部カバー２２４を取り外すだけで交換できるので、作業効率を高めることができる。取り外した下部カバー２２４を取付ける場合、下部カバー２２４の折曲部２２４ａの外面を上部カバー２２２の折曲部２２２ａの外面とほぼ同じ面になるように調整すれば、折曲部２２４ａとプーリ２０６との間隔を容易に適切な間隔範囲にすることができる。
【００３１】
本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【符号の説明】
【００３２】
１００  エレベータ
１０２  昇降路
１０２ａ  昇降路壁
１０４  乗りかご
１０６  釣合重り装置
１０８  ロープ
１１０  巻上機
２０２  釣合重り枠
２０２ａ  縦枠
２０２ｂ  上枠
２０２ｃ  下枠
２０４  重り
２０６  プーリ
２１２  第１ブラケット
２１４  第２ブラケット
２１５  第３ブラケット
２１６  第３ブラケット
２１８  第４ブラケット
２２０  巻込防止カバー
２２２  上部カバー
２２２ａ  折曲部
２２４  下部カバー
２２４ａ  折曲部
２３２  ロープ外れ防止板
２３４  ロープ外れ防止板
２３６  防塵カバー
２３８  防塵カバー
４００  回転平面
【図１】
2018199134.tif 000003
【図２】
2018199134.tif 000004
【図３】
2018199134.tif 000005
【図４】
2018199134.tif 000006
【図５】
2018199134.tif 000007
【国際調査報告】
2018199134.tif 000008
2018199134.tif 000009
2018199134.tif 000010
2018199134.tif 000011